(57)【要約】  本開示に係る医療用コネクタは、ＩＳＯ８０３６９−７に準拠するロック式のメスコネクタの挿入開口に挿入可能な流路管部と、前記流路管部の径方向の周囲を覆い、前記メスコネクタの先端フランジに螺合可能な雌ねじ部を備える接続筒部と、前記接続筒部内において、前記流路管部の流路の遠位端側の開口を覆う閉鎖形態と前記開口を開放する開放形態との間で形態を変化可能な弾性弁体と、を備え、前記雌ねじ部は、前記先端フランジと螺合し前記弾性弁体を前記メスコネクタの前記挿入開口の縁部に当接させた当接状態で前記先端フランジを挟み込む谷部を備える。
2018174265.tif 000002
【特許請求の範囲】
【請求項１】
ＩＳＯ８０３６９−７に準拠するロック式のメスコネクタの挿入開口に挿入可能な流路管部と、
前記流路管部の径方向の周囲を覆い、前記メスコネクタの先端フランジに螺合可能な雌ねじ部を備える接続筒部と、
前記接続筒部内において、前記流路管部の流路の遠位端側の開口を覆う閉鎖形態と前記開口を開放する開放形態との間で形態を変化可能な弾性弁体と、を備え、
前記雌ねじ部は、前記先端フランジと螺合し前記弾性弁体を前記メスコネクタの前記挿入開口の縁部に当接させた当接状態で前記先端フランジを挟み込む谷部を備える医療用コネクタ。
【請求項２】
前記谷部は、前記先端フランジの回動軌跡により規定される最大回転外径よりも小さい谷径を有する挟込部と、前記挟込部よりも遠位端側に位置し、前記最大回転外径以上の谷径を有する非挟込部と、を備え、
前記谷部のうち、前記挟込部よりも遠位端側は、前記非挟込部のみから構成されている、請求項１に記載の医療用コネクタ。
【請求項３】
前記非挟込部の谷径は、近位端側から遠位端側に向かって漸増している、請求項２に記載の医療用コネクタ。
【請求項４】
前記挟込部の谷径は、近位端側から遠位端側に向かって漸増している、請求項２又は３に記載の医療用コネクタ。
【請求項５】
雌ねじ部の山部のうち前記挟込部に隣接する位置でのねじ高さは、前記先端フランジの突出長さよりも小さい、請求項２乃至４のいずれか１つに記載の医療用コネクタ。
【請求項６】
前記接続筒部内に位置し、前記弾性弁体を内部に保持する保持筒部を備え、
前記弾性弁体は、前記保持筒部の遠位端に形成された遠位端開口から突出し、前記メスコネクタの前記挿入開口の径よりも大きい外径を有する突出部を備える、請求項１乃至５のいずれか１に記載の医療用コネクタ。
【請求項７】
前記接続筒部を備える内筒部材と、
前記流路管部を備えると共に、前記内筒部材を前記内筒部材の軸方向に移動可能に保持するハウジングと、を備え、
前記弾性弁体は、前記ハウジングに対する前記内筒部材の前記軸方向における移動に伴って、前記閉鎖形態と前記開放形態との間で形態を変化可能であり、
前記内筒部材は、前記ハウジングの遠位端から突出可能に設けられており、その突出可能長さは、前記ハウジングに対する前記内筒部材の前記軸方向における移動可能長さ以上である、請求項１乃至６のいずれか１つに記載の医療用コネクタ。
【請求項８】
前記ハウジングは、前記流路管部を備えるホルダ部材と、前記流路管部の前記径方向の周囲を取り囲んだ状態で、前記ホルダ部材に対して取り付けられる外筒部材と、を備え、
外筒部材は、前記内筒部材を前記ホルダ部材から離間した所定位置で係止する係止部を備え、
前記内筒部材は、前記係止部に係止される第１位置から、前記ホルダ部材に当接する第２位置まで、前記ハウジングに対して前記軸方向において移動可能である、請求項７に記載の医療用コネクタ。
【請求項９】
前記内筒部材の外壁及び前記外筒部材の内壁の一方には、螺旋状に延在する溝が形成されており、
前記内筒部材の外壁及び前記外筒部材の内壁の他方には、前記外筒部材に対して前記内筒部材を相対的に周方向に移動させることにより前記溝内を移動する凸部が形成されている、請求項８に記載の医療用コネクタ。
【発明の詳細な説明】
【技術分野】
【０００１】
本開示は医療用コネクタに関する。
【背景技術】
【０００２】
患者に輸液を行う際には、薬液等の液体を輸送するための経路（輸液ライン）を形成する必要がある。輸液ラインは、一般に、輸液チューブや各種医療器具などを接続することによって形成される。また、患者に投与する薬液等の液体を薬液バッグに注入する際には、薬液バッグとシリンジ等とを接続する必要がある。このように、異なる部材を着脱可能に相互接続するために医療用コネクタとしてのメスコネクタやオスコネクタが使用されている。【０００３】
薬液の中には、例えば抗癌剤のような劇薬に指定された薬剤を含む薬液がある。医療従事者は、医療用コネクタの着脱作業時等において、このような危険な薬液などの液体が指などに付着することがないように、十分に注意を払う必要がある。【０００４】
特許文献１には、中空部を区画するハウジングと、中空部の遠位端に移動可能に配置されておりハウジングを閉塞する第１弁体と、中空部内で延在するカニューレと、中空部内で第１弁体を遠位端に向けて付勢する付勢部材と、を備える、オスコネクタとしての送出装置が開示されている。特許文献１の開示によると、送出装置と接続可能なメスコネクタとしてのレシーバ装置の第２弁体によって第１弁体が遠位端側から近位端側に押圧されると、第１弁体と第２弁体とが接触した状態のまま、カニューレ先端が第１弁体及び第２弁体を貫通し、カニューレ先端がレシーバ装置のハウジング内に入り込む。
【先行技術文献】
【特許文献】
【０００５】
【特許文献１】米国特許第８１５７７８４号公報
【発明の概要】
【発明が解決しようとする課題】
【０００６】
特許文献１には、カニューレを介した送出装置とレシーバ装置との連通状態を、送出装置のハウジングとレシーバ装置のハウジングとのねじ結合により維持する構成が開示されているが、ねじ結合に緩みが生じると、送出装置のカニューレがレシーバ装置のハウジングから抜去され、連通状態が解除されるおそれがある。そのため、オスコネクタとしての送出装置と、メスコネクタとしてのレシーバ装置と、の間のねじ結合は緩み難くすることが望ましい。【０００７】
特許文献１に記載の送出装置のような、メスコネクタとの接続解除時に外部に液体が漏出しないように流路を閉鎖する閉鎖式のオスコネクタ（以下、「閉鎖式オスコネクタ」と記載する。）の場合には、通常、専用品のメスコネクタに対して安定した接続状態を維持可能に設計される。しかしながら、広く流通しているＩＳＯ８０３６９−７（２０１６年）に準拠するロック式のメスコネクタに対しても安定した接続状態を維持できる医療用コネクタとしての閉鎖式オスコネクタが望まれている。【０００８】
そこで本開示は、ＩＳＯ８０３６９−７に準拠するロック式のメスコネクタに対しても、緩み難いねじ結合を実現可能な構成を有する医療用コネクタを提供することを目的とする。
【課題を解決するための手段】
【０００９】
本発明の第１の態様としての医療用コネクタは、ＩＳＯ８０３６９−７に準拠するロック式のメスコネクタの挿入開口に挿入可能な流路管部と、前記流路管部の径方向の周囲を覆い、前記メスコネクタの先端フランジに螺合可能な雌ねじ部を備える接続筒部と、前記接続筒部内において、前記流路管部の流路の遠位端側の開口を覆う閉鎖形態と前記開口を開放する開放形態との間で形態を変化可能な弾性弁体と、を備え、前記雌ねじ部は、前記先端フランジと螺合し前記弾性弁体を前記メスコネクタの前記挿入開口の縁部に当接させた当接状態で前記先端フランジを挟み込む谷部を備える。【００１０】
本発明の一実施形態として、前記谷部は、前記先端フランジの回動軌跡により規定される最大回転外径よりも小さい谷径を有する挟込部と、前記挟込部よりも遠位端側に位置し、前記最大回転外径以上の谷径を有する非挟込部と、を備え、前記谷部のうち、前記挟込部よりも遠位端側は、前記非挟込部のみから構成されている。【００１１】
本発明の一実施形態として、前記非挟込部の谷径は、近位端側から遠位端側に向かって漸増している。【００１２】
本発明の一実施形態として、前記挟込部の谷径は、近位端側から遠位端側に向かって漸増している。【００１３】
本発明の一実施形態として、雌ねじ部の山部のうち前記挟込部に隣接する位置でのねじ高さは、前記先端フランジの突出長さよりも小さい。【００１４】
本発明の一実施形態として、前記接続筒部内に位置し、前記弾性弁体を内部に保持する保持筒部を備え、前記弾性弁体は、前記保持筒部の遠位端に形成された遠位端開口から突出し、前記メスコネクタの前記挿入開口の径よりも大きい外径を有する突出部を備える。【００１５】
本発明の一実施形態として、前記接続筒部を備える内筒部材と、前記流路管部を備えると共に、前記内筒部材を前記内筒部材の軸方向に移動可能に保持するハウジングと、を備え、前記弾性弁体は、前記ハウジングに対する前記内筒部材の前記軸方向における移動に伴って、前記閉鎖形態と前記開放形態との間で形態を変化可能であり、前記内筒部材は、前記ハウジングの遠位端から突出可能に設けられており、その突出可能長さは、前記ハウジングに対する前記内筒部材の前記軸方向における移動可能長さ以上である。【００１６】
本発明の一実施形態として、前記ハウジングは、前記流路管部を備えるホルダ部材と、前記流路管部の前記径方向の周囲を取り囲んだ状態で、前記ホルダ部材に対して取り付けられる外筒部材と、を備え、外筒部材は、前記内筒部材を前記ホルダ部材から離間した所定位置で係止する係止部を備え、前記内筒部材は、前記係止部に係止される第１位置から、前記ホルダ部材に当接する第２位置まで、前記ハウジングに対して前記軸方向において移動可能である。【００１７】
本発明の一実施形態として、前記内筒部材の外壁及び前記外筒部材の内壁の一方には、螺旋状に延在する溝が形成されており、前記内筒部材の外壁及び前記外筒部材の内壁の他方には、前記外筒部材に対して前記内筒部材を相対的に周方向に移動させることにより前記溝内を移動する凸部が形成されている。
【発明の効果】
【００１８】
本開示によれば、ＩＳＯ８０３６９−７に準拠するロック式のメスコネクタに対しても、緩み難いねじ結合を実現可能な構成を有する医療用コネクタを提供することができる。
【図面の簡単な説明】
【００１９】
【図１】本発明の一実施形態としての閉鎖式オスコネクタと、この閉鎖式オスコネクタに接続可能なメスコネクタと、を示す側面図である。
【図２】図１のI-I線に沿う断面図である。
【図３】図２のII-II線に沿う断面図である。
【図４】図１に示す閉鎖式オスコネクタから内筒部材を分離した状態を示す図である。
【図５】図１に示すメスコネクタをキャップの天面側から見た図である。
【図６】図２に示す閉鎖式オスコネクタ及びメスコネクタの接続途中状態を示す断面図である。
【図７】図２に示す閉鎖式オスコネクタ及びメスコネクタの接続完了状態を示す断面図である。
【図８】図２において接続筒部の雌ねじ部及びキャップの雄ねじ部の部分を拡大した拡大断面図である。
【図９】図７において接続筒部の雌ねじ部及びキャップの雄ねじ部の部分を拡大した拡大断面図である。
【図１０】図２に示す閉鎖式オスコネクタの変形例の断面図である。
【図１１】図１の閉鎖式オスコネクタを備える輸液セット、及び、図１に示すメスコネクタ２を備える別の輸液セット、を示す図である。
【発明を実施するための形態】
【００２０】
以下、本発明に係る医療用コネクタの実施形態について、図１〜図１１を参照して説明する。各図において共通する部材・部位には同一の符号を付している。
【００２１】
図１は、本発明に係る医療用コネクタの一実施形態としての閉鎖式オスコネクタ１と、この閉鎖式オスコネクタ１に接続可能なメスコネクタ２と、を示す側面図である。図２は、図１のI-I線に沿う断面図である。図１及び図２に示す閉鎖式オスコネクタ１及びメスコネクタ２は、相互に接続される前の各々単体の状態を示している。以下、閉鎖式オスコネクタ１及びメスコネクタ２において、輸液ラインにて薬液等の液体の流路下流側（図１の上方）となる一端側を「遠位端」側、輸液ラインにて液体の流路上流側（図１の下方）となる他端側を「近位端」側と記載する。
【００２２】
図１及び図２に示すように、閉鎖式オスコネクタ１は、ハウジング１０と、内筒部材２０と、弾性弁体３０と、を備えている。
【００２３】
ハウジング１０は流路管部１１を備えている。流路管部１１は、メスコネクタ２の挿入開口４２ｃに挿入可能である。
【００２４】
内筒部材２０は、内筒部材２０の中心軸線Ｏに平行する方向（以下、単に「軸方向Ａ」と記載する。）に移動可能にハウジング１０に対して保持されている。また、内筒部材２０は接続筒部２１を備えている。接続筒部２１は、流路管部１１の径方向Ｂの周囲を覆い、メスコネクタ２の先端フランジ４７に螺合可能な雌ねじ部２１ａを備えている。
【００２５】
弾性弁体３０は、接続筒部２１内において、流路管部１１の流路１１ａの遠位端側の開口１１ａ１を覆う閉鎖形態と、開口１１ａ１を開放する開放形態と、の間で形態を変化可能である。具体的に、本実施形態の弾性弁体３０にはスリット３２ａが形成されており、本実施形態の閉鎖形態は、流路管部１１の先端が弾性弁体３０に覆われている状態である。また、本実施形態の開放形態は、流路管部１１の先端がスリット３２ａを通じて弾性弁体３０を貫通した状態である。
【００２６】
メスコネクタ２は、２０１６年のＩＳＯ８０３６９−７に準拠するロック式のメスコネクタである。図１及び図２に示すように、メスコネクタ２は、ハウジング４０と、弾性弁体５０と、を備えている。
【００２７】
以下、閉鎖式オスコネクタ１のハウジング１０と、メスコネクタ２のハウジング４０と、を区別するために、説明の便宜上、閉鎖式オスコネクタ１のハウジング１０を「第１ハウジング１０」と記載し、メスコネクタ２のハウジング４０を「第２ハウジング４０」と記載する。また、閉鎖式オスコネクタ１の弾性弁体３０と、メスコネクタ２の弾性弁体５０と、を区別するために、説明の便宜上、閉鎖式オスコネクタ１の弾性弁体３０を「第１弾性弁体３０」と記載し、メスコネクタ２の弾性弁体５０を「第２弾性弁体５０」と記載する。
【００２８】
第２ハウジング４０は中空部４１を区画している。中空部４１の一端が、閉鎖式オスコネクタ１の流路管部１１を挿入可能な挿入開口４２ｃである。つまり、閉鎖式オスコネクタ１の流路管部１１は、挿入開口４２ｃを通じて中空部４１内に挿入される。中空部４１は、第２弾性弁体５０が保持されている保持空間４１ａと、この保持空間４１ａに連通する流路４１ｂと、で構成されている。また、第２ハウジング４０は、閉鎖式オスコネクタ１の接続筒部２１の雌ねじ部２１ａと螺合可能な先端フランジ４７を備えている。
【００２９】
具体的に、第２ハウジング４０は、キャップ４２と、ホルダ４３と、を備えており、上述の中空部４１は、キャップ４２が区画する保持空間４１ａと、キャップ４２及びホルダ４３が区画する流路４１ｂと、で構成されている。
【００３０】
キャップ４２の外壁に上述の先端フランジ４７が形成されている。本実施形態の先端フランジ４７は、キャップ４２の外壁に形成されている雄ねじ部４６のねじ山４６ａの一部を構成している。先端フランジ４７の詳細は後述する（図２、図５等参照）。
【００３１】
第２弾性弁体５０は、第２ハウジング４０の中空部４１内に位置し、中空部４１を閉塞している。具体的に、第２弾性弁体５０は、上述したように、中空部４１のうちキャップ４２が区画する保持空間４１ａに位置しており、キャップ４２に天面５０ａ及び底面５０ｂから挟み込まれて圧縮された状態とされることで、挟持されている。第２弾性弁体５０には、閉鎖式オスコネクタ１の流路管部１１が挿通可能なスリット５１が形成されている。
【００３２】
図１及び図２に示す閉鎖式オスコネクタ１及びメスコネクタ２を接続する際には、まず、上述した閉鎖式オスコネクタ１の接続筒部２１の雌ねじ部２１ａに対して、メスコネクタ２の先端フランジ４７を含む雄ねじ部４６を螺合する。この際、閉鎖式オスコネクタ１の第１弾性弁体３０が、メスコネクタ２の挿入開口４２ｃの縁部４２ｃ１に当接するまで、雌ねじ部２１ａと雄ねじ部４６とを螺合する。以下、閉鎖式オスコネクタ１の第１弾性弁体３０が、メスコネクタ２の挿入開口４２ｃの縁部４２ｃ１に当接する状態を「当接状態」と記載する。
【００３３】
次に、当接状態で、閉鎖式オスコネクタ１の接続筒部２１を備える内筒部材２０を、閉鎖式オスコネクタ１の第１ハウジング１０に対して、軸方向Ａに移動させる。これにより、第１弾性弁体３０に対して、閉鎖式オスコネクタ１の流路管部１１を、軸方向Ａに相対的に移動させることができる。そのため、流路管部１１の先端を、第１弾性弁体３０を貫通するように移動させることができる。その結果、流路管部１１を、メスコネクタ２の中空部４１内に進入させることができる。この接続動作の詳細については後述する（図６、図７参照）。
【００３４】
雌ねじ部２１ａは、上述の当接状態で、先端フランジ４７を挟み込む谷部２９ａを備えている。そのため、同じ当接状態で先端フランジが挟み込まれていない構成と比較して、摩擦力の増加により先端フランジ４７が雌ねじ部２１ａに対して回動し難くなる。つまり、先端フランジ４７及び雌ねじ部２１ａのねじ結合を緩み難くすることができる。この詳細については後述する（図８、図９参照）。
【００３５】
以下、閉鎖式オスコネクタ１及びメスコネクタ２それぞれの詳細について説明する。
【００３６】
＜閉鎖式オスコネクタ１＞
本実施形態の閉鎖式オスコネクタ１は、上述したように、第１ハウジング１０と、内筒部材２０と、第１弾性弁体３０と、を備えている。以下、各部材の詳細について説明する。
【００３７】
［第１ハウジング１０］
第１ハウジング１０は、ホルダ部材１２と、外筒部材１３と、を備えている。
【００３８】
ホルダ部材１２は、上述の流路管部１１と、この流路管部１１の近位端から径方向Ｂに突出するフランジ部１４と、このフランジ部１４から近位端側に向かって突出し、医療用チューブ等の医療器具と接続可能な接続部１５と、フランジ部１４から遠位端側に、流路管部１１の径方向Ｂの外側を取り囲むように突設されている環状の突出部１６と、を備えている。
【００３９】
流路管部１１は、図２に示すように、外筒部材１３内で外筒部材１３の中心軸線に平行する方向に延在している。すなわち、流路管部１１の中心軸線に平行する方向は、外筒部材１３の中心軸線に平行する方向と略同じである。また、図２に示すように、流路管部１１の中心軸線に平行する方向、及び、外筒部材１３の中心軸線に平行する方向は、後述する内筒部材２０の軸方向Ａと略同じである。換言すれば、図２に示すように、本実施形態の流路管部１１の中心軸線、外筒部材１３の中心軸線、及び、内筒部材２０の中心軸線Ｏは、略一致している。したがって、以下、説明の便宜上、流路管部１１の中心軸線に平行する方向、外筒部材１３の中心軸線に平行する方向、及び内筒部材２０の軸方向Ａを、全て「軸方向Ａ」と記載する。
【００４０】
更に、流路管部１１、外筒部材１３及び内筒部材２０それぞれの径方向も略一致している。また更に、流路管部１１、外筒部材１３及び内筒部材２０それぞれの周方向も略一致している。したがって、以下、説明の便宜上、流路管部１１、外筒部材１３及び内筒部材２０の径方向を全て「径方向Ｂ」と記載する。また、説明の便宜上、流路管部１１、外筒部材１３及び内筒部材２０の周方向を全て「周方向Ｃ」と記載する。
【００４１】
図２に示すように、流路管部１１は、内部に流路１１ａを区画している。流路管部１１の流路１１ａは軸方向Ａに延在している。流路管部１１の遠位端部には、径方向Ｂに貫通する開口１１ａ１が形成されている。流路管部１１の遠位端は閉鎖されている。また、流路管部１１の近位端は閉鎖されておらず開放されており、流路管部１１の近位端に開口１１ａ２が形成されている。つまり、流路管部１１の流路１１ａは、流路管部１１の近位端側の開口１１ａ２から遠位端側の開口１１ａ１まで延在している。
【００４２】
流路管部１１は、メスコネクタ２との接続時に、メスコネクタ２の挿入開口４２ｃに挿入される。この詳細は後述する（図７参照）。
【００４３】
フランジ部１４は、流路管部１１の径方向Ｂの外側の位置で、後述する第１弾性弁体３０の近位端を支持している。より具体的に、フランジ部１４は、径方向Ｂにおいて流路管部１１と突出部１６との間の位置で、第１弾性弁体３０の近位端と当接することにより、第１弾性弁体３０を支持している。
【００４４】
接続部１５は、フランジ部１４から近位端側に突設された筒部であり、例えば医療器具としての医療用チューブが内嵌めされることにより、医療用チューブと接続可能になっている。筒状の接続部１５は、遠位端が上述の流路管部１１の流路１１ａと連通すると共に近位端が外部に開放された中空部１５ａを区画している。
【００４５】
図２に示す本実施形態の接続部１５は、２０１６年のＩＳＯ８０３６９−７に準拠するメスコネクタ部を構成している。そのため、上述した嵌合による医療用チューブの接続のみならず、本実施形態の接続部１５には、２０１６年のＩＳＯ８０３６９−７に準拠するロック式のオスコネクタを接続可能である。更に、本実施形態の接続部１５は、閉鎖式オスコネクタ１と同形状の閉鎖式コネクタの遠位端とも接続することができる。
【００４６】
環状の突出部１６は、内筒部材２０と当接し、内筒部材２０の軸方向Ａの近位端側への移動を制限する。具体的には、内筒部材２０の外壁に形成されている凸部２１ｂが、突出部１６の先端である遠位端に当接することにより、内筒部材２０の近位端側への移動が規制される。この詳細については後述する（図４、図７等参照）。
【００４７】
後述の外筒部材１３は、その近位端部が環状の突出部１６に外嵌めされた状態で、フランジ部１４に支持されている。但し、外筒部材１３を、環状の突出部１６の外面上に密着させるように突出部１６に嵌合し、外筒部材１３を、フランジ部１４と共に、又は、フランジ部１４に代えて、突出部１６で支持させる構成としてもよい。
【００４８】
また、図２に示すように、突出部１６の軸方向Ａの長さは、流路管部１１の軸方向Ａの長さ、及び、外筒部材１３の軸方向Ａの長さ、よりも短い。換言すれば、流路管部１１及び外筒部材１３は、突出部１６よりも遠位端側まで延在している。更に言えば、流路管部１１は、外筒部材１３よりも遠位端側まで延在している。
【００４９】
更に、本実施形態では環状の突出部１６を用いているが、内筒部材２０と当接し、内筒部材２０の軸方向Ａの近位端側への移動を制限する構成であれば、この構成に限られない。したがって、フランジ部１４から突設され、周方向Ｃに沿って配置される複数の突起により突出部を構成してもよい。かかる場合の突起は、軸方向Ａに延在する棒状の突起であってもよく、軸方向Ａと直交する断面が円弧形状を有する曲面板状の突起であってもよい。
【００５０】
ホルダ部材１２の材料としては、例えば、ポリエチレン、ポリプロピレン、エチレン−プロピレン共重合体等のポリオレフィン；エチレン−酢酸ビニル共重合体（ＥＶＡ）；ポリ塩化ビニル；ポリ塩化ビニリデン；ポリスチレン；ポリアミド；ポリイミド；ポリアミドイミド；ポリカーボネート；ポリ−（４−メチルペンテン−１）；アイオノマー；アクリル樹脂；ポリメチルメタクリレート；アクリロニトリル−ブタジエン−スチレン共重合体（ＡＢＳ樹脂）；アクリロニトリル−スチレン共重合体（ＡＳ樹脂）；ブタジエン−スチレン共重合体；ポリエチレンテレフタレート（ＰＥＴ）、ポリブチレンテレフタレート（ＰＢＴ）、ポリシクロヘキサンテレフタレート（ＰＣＴ）等のポリエステル；ポリエーテル；ポリエーテルケトン（ＰＥＫ）；ポリエーテルエーテルケトン（ＰＥＥＫ）；ポリエーテルイミド；ポリアセタール（ＰＯＭ）；ポリフェニレンオキシド；変性ポリフェニレンオキシド；ポリサルフォン；ポリエーテルサルフォン；ポリフェニレンサルファイド；ポリアリレート；芳香族ポリエステル（液晶ポリマー）；ポリテトラフルオロエチレン、ポリフッ化ビニリデン、その他フッ素系樹脂；などの各種樹脂材料が挙げられる。また、これらのうちの１種以上を含むブレンド体やポリマーアロイなどでもよい。その他に、各種ガラス材、セラミックス材料、金属材料であってもよい。
【００５１】
本実施形態のホルダ部材１２は、単一の材料により一体で形成されているが、上述の流路管部１１、フランジ部１４、接続部１５、及び、突出部１６を少なくとも備える構成であればよく、複数の部材を組み付けることにより形成してもよい。
【００５２】
外筒部材１３は、流路管部１１の径方向Ｂの周囲を取り囲んだ状態で、ホルダ部材１２に対して取り付けられている。具体的に、外筒部材１３は略円筒状の形状を有しており、流路管部１１に対して径方向Ｂの外側で、軸方向Ａと直交する断面において流路管部１１と同心円状となるように、流路管部１１の周囲を取り囲んでいる。更に、外筒部材１３は、突出部１６に対しても径方向Ｂの外側で、軸方向Ａと直交する断面において環状の突出部１６と同心円状となるように、突出部１６の周囲を取り囲んでいる。この状態で、外筒部材１３の近位端部は、超音波溶着や接着等により、フランジ部１４に対して取り付けられている。
【００５３】
また、外筒部材１３内には内筒部材２０が嵌合している。具体的に、内筒部材２０は、外筒部材１３内で、外筒部材１３に対して軸方向Ａに移動可能に保持されている。本実施形態の外筒部材１３の内壁には、雌ねじ部１３ａが形成されている。換言すれば、外筒部材１３の内壁には、螺旋状に延在する溝１３ａ１が形成されている。その一方で、後述する内筒部材２０の外壁には凸部２１ｂが形成されている（図４参照）。この凸部２１ｂは、上述の溝１３ａ１に沿って移動可能である。つまり、外筒部材１３に対して内筒部材２０を相対的に周方向Ｃに移動させることにより、凸部２１ｂを、溝１３ａ１内で、溝１３ａ１の延在方向に沿って移動させることができる。これにより、内筒部材２０を、外筒部材１３に対して軸方向Ａに移動させることができる。この詳細についても後述する（図４参照）。
【００５４】
ここで図３は、図２のII-II線の位置での閉鎖式オスコネクタ１の断面図である。図１、図３に示すように、外筒部材１３の周壁には、切り込み状の隙間１７により囲まれる部分で構成される、径方向Ｂに弾性変形可能な変形部１８が設けられている。より具体的に、図３に示す本実施形態では、周方向Ｃに等間隔を空けて４箇所の位置それぞれに、隙間１７が形成されており、外筒部材１３のうち各隙間１７により囲まれる部分により変形部１８が形成されている。換言すれば、本実施形態では、約９０度の中心角ごとに変形部１８を配置し、合計４つの変形部１８が設けられている。
【００５５】
より具体的に、本実施形態の変形部１８は、近位端側が外筒部材１３の周壁と連続し、遠位端側が隙間１７を挟み外筒部材１３の周壁と連続していない。また、変形部１８の周方向Ｃの両側も、隙間１７を挟み外筒部材１３の周壁と連続していない。このような構成の変形部１８は、近位端側に対して遠位端側が径方向Ｂに弾性変形可能である。
【００５６】
変形部１８の遠位端部には、径方向Ｂの内側に突出する突起１８ａが設けられている。この外筒部材１３の変形部１８における突起１８ａは、内筒部材２０をホルダ部材１２から離間した所定位置で係止可能な係止部である。上述したように、変形部１８は径方向Ｂに弾性変形することができる。突起１８ａは、変形部１８の径方向Ｂの弾性変形により、径方向Ｂの位置を変動可能である。このように、変形部１８を径方向Ｂに弾性変形させることにより、内筒部材２０を係止する係止位置と、内筒部材２０の係止を解除する係止解除位置と、の間で、突起１８ａの径方向Ｂの位置を変動させる。図２に示す係止部としての突起１８ａは、係止位置にある状態である。この動作の詳細は後述する（図６、図７参照）。
【００５７】
外筒部材１３の材料としては、例えば、上述したホルダ部材１２として利用可能な材料と同様の材料を挙げることができる。
【００５８】
［内筒部材２０］
図２に示すように、内筒部材２０は、内壁に雌ねじ部２１ａが形成されている接続筒部２１と、この接続筒部２１の内壁のうち雌ねじ部２１ａよりも近位端側の位置で径方向Ｂの内側に突出する第１環状フランジ部２２と、接続筒部２１内に位置し、第１環状フランジ部２２の内縁部から軸方向Ａの遠位端側に突出する保持筒部２３と、第１環状フランジ部２２の内縁部から軸方向Ａの近位端側に突出する、接続筒部２１よりも外径が細い細筒部２４と、この細筒部２４の近位端から径方向Ｂ外側に突出する第２環状フランジ部２５と、この第２環状フランジ部２５の外縁から軸方向Ａの近位端側に突出する基端筒部２６と、を備えている。
【００５９】
図４は、閉鎖式オスコネクタ１から内筒部材２０を分離した状態を示す図である。具体的に、図４では、分離された内筒部材２０を斜視図で示し、閉鎖式オスコネクタ１の残りの部分を断面斜視図で示している。図４に示すように、接続筒部２１、細筒部２４及び基端筒部２６は略円筒状の形状を有している。そして、内筒部材２０の外周面は、細筒部２４の位置で括れており、周方向Ｃに延在する環状溝２４ａが形成されている。
【００６０】
図２に示す接続前の状態（以下、「非接続状態」と記載する。）で、内筒部材２０の第１環状フランジ部２２、細筒部２４、第２環状フランジ部２５、及び、基端筒部２６は、外筒部材１３内に嵌合している。その一方で、図２に示す非接続状態で、内筒部材２０の接続筒部２１及び保持筒部２３は、外筒部材１３よりも遠位端側、すなわち、第１ハウジング１０よりも遠位端側に突出している。
【００６１】
図２に示す非接続状態で、内筒部材２０の外壁に形成されている環状溝２４ａには、外筒部材１３の係止部としての突起１８ａが嵌り込んでいる。すなわち、突起１８ａが係止位置にある。そのため、内筒部材２０は、突起１８ａを係止位置から係止解除位置に移動させない限り、外筒部材１３に対して軸方向Ａの近位端側に移動できない。詳細は後述するが、突起１８ａは、内筒部材２０に対して軸方向Ａの近位端側へ所定値以上の力が作用すると、係止位置から係止解除位置に移動するようになっている。
【００６２】
また、図４に示すように、内筒部材２０の外壁には凸部２１ｂが形成されている。より具体的に、凸部２１ｂは、内筒部材２０の基端筒部２６の外壁に形成されている。この凸部２１ｂが、外筒部材１３の内壁に形成されている雌ねじ部１３ａの螺旋状の溝１３ａ１内を移動可能である。これにより、内筒部材２０が外筒部材１３に対して軸方向Ａに移動可能となる。
【００６３】
本実施形態では、図４に示すように２つの凸部２１ｂが径方向Ｂで対向する位置に設けられている。また、２つの凸部２１ｂに対応するように、外筒部材１３の螺旋状の溝１３ａ１についても２つ設けられている。
【００６４】
図２に示すように、保持筒部２３及び細筒部２４は、第１弾性弁体３０を内部に保持している。具体的に、保持筒部２３及び細筒部２４は、第１弾性弁体３０の後述する先端部３２を収容する収容空間２７を区画している。収容空間２７を区画する内壁には、径方向Ｂの内側に突出する環状の突起２８が形成されている。この環状の突起２８は、第１弾性弁体３０の先端部３２に対してめり込み、先端部３２が収容空間２７から抜け落ちることを抑制している。また、第１弾性弁体３０は、保持筒部２３の遠位端に形成された遠位端開口２３ａから突出している。
【００６５】
内筒部材２０の材料としては、例えば、上述したホルダ部材１２として利用可能な材料と同様の材料を挙げることができる。
【００６６】
［第１弾性弁体３０］
第１弾性弁体３０は、流路管部１１を覆っている。具体的に、本実施形態の第１弾性弁体３０は、軸方向Ａに折り畳まれるように弾性変形可能な蛇腹筒部３１と、この蛇腹筒部３１の中空部の遠位端側を閉鎖するように蛇腹筒部３１に連続する円柱状の先端部３２と、蛇腹筒部３１の遠位端部の位置で、径方向Ｂの外側に突出するフランジ部３３と、を備えている。
【００６７】
蛇腹筒部３１の近位端は、第１ハウジング１０のホルダ部材１２のフランジ部１４に当接している。先端部３２は、内筒部材２０の保持筒部２３及び細筒部２４が区画する収容空間２７内に保持されている。
【００６８】
フランジ部３３は、先端部３２が収容空間２７に収容されている状態で、内筒部材２０の第２環状フランジ部２５に当接している。これにより、先端部３２が、収容空間２７から遠位端側に抜け出ない。上述したように、収容空間２７を区画する内壁には、環状の突起２８が形成されている。そのため、先端部３２は、近位端側にも抜け落ち難い。
【００６９】
円柱状の先端部３２には、近位端側から遠位端側に貫通するスリット３２ａが形成されている。また、先端部３２は、保持筒部２３の遠位端に形成された遠位端開口２３ａから突出している。換言すれば、第１弾性弁体３０は、遠位端開口２３ａから突出する突出部３４を備えている。本実施形態の突出部３４の遠位端側の端面である先端面３４ａは、凸状の曲面を有している。先端面３４ａが凸状の曲面を有することにより、後述するメスコネクタ２の第２弾性弁体５０の天面５０ａと密着しやすくなる。
【００７０】
突出部３４は、メスコネクタ２の挿入開口４２ｃの径Ｄ４（図８参照）よりも大きい外径Ｄ５（図８参照）を有している。このような構成にすることにより、メスコネクタ２との接続時において、メスコネクタ２の挿入開口４２ｃの縁部４２ｃ１全体を、突出部３４により覆い易くなる。詳細は後述する（図８、図９参照）。
【００７１】
本実施形態の突出部３４の先端面３４ａは、図２の断面視において円弧状となる１つの曲面により構成されているが、スリット３２ａの周囲のみが凸状の曲面になっている構成であってもよい。
【００７２】
また、図２に示すように、遠位端側の開口１１ａ１を含む流路管部１１の遠位端部は、第１弾性弁体３０の先端部３２により、軸方向Ａの遠位端側及び径方向Ｂ外側が覆われている。更にスリット３２ａも閉鎖されている状態である。つまり、図２に示す第１弾性弁体３０は、開口１１ａ１を覆う閉鎖形態を示している。
【００７３】
図２に示す非接続状態から内筒部材２０を軸方向Ａの近位端側に移動させると、蛇腹筒部３１が圧縮するように弾性変形する。これに伴い、遠位端側の開口１１ａ１を含む流路管部１１の遠位端部は、第１弾性弁体３０の先端部３２のスリット３２ａを通じて、先端部３２を軸方向Ａに貫通する。つまり、第１弾性弁体３０が、開口１１ａ１が開放される開放形態となる。このように、本実施形態の第１弾性弁体３０は、第１ハウジング１０に対する内筒部材２０の軸方向Ａにおける移動に伴って、閉鎖形態と開放形態との間で形態を変化可能である。
【００７４】
本実施形態の第１弾性弁体３０は、蛇腹筒部３１及び先端部３２を備える構成であるが、流路管部１１の流路１１ａの遠位端側の開口１１ａ１を覆う閉鎖形態と開口１１ａ１を開放する開放形態との間で形態を変化可能な構成であれば、この構成に限られない。そのため、本実施形態の第１弾性弁体３０では、蛇腹筒部３１が軸方向Ａに弾性変形することにより閉鎖形態と開放形態との間で形態を変化可能であるが、例えば、弾性変形に加えて、又は、弾性変形に代えて、軸方向Ａに移動することにより閉鎖形態と開放形態との間で形態を切り替え可能な構成としてもよい。
【００７５】
第１弾性弁体３０は、硬度がショアＡ硬度１０以上７０以下であることが好ましく、ショアＡ硬度２０以上５０以下であることがより好ましい。硬度がショアＡ硬度１０より小さいと、流路１１ａ内の圧力が高まったときに、薬液等の流体が外部に漏れ出すおそれがある。硬度がショアＡ硬度７０より大きいと、第１弾性弁体３０と接続されたメスコネクタ２の第２弾性弁体５０との当接が不十分になるおそれがあり、接続されたメスコネクタ２が抜去される際に、薬液等の流体が外部に漏れ出す可能性がある。また、第１弾性弁体３０は、硬度がショアＡ硬度２０以上５０以下であれば、メスコネクタ２との好適な密着性を確保することができ、接続されたメスコネクタ２が抜去される際に、薬液等の流体が外部に漏れ出すことをより確実に抑制することができる。
【００７６】
第１弾性弁体３０は、金型成形され、弾性変形可能に形成される。この第１弾性弁体３０の材料としては、例えば、天然ゴム、イソプレンゴム、ブタジエンゴム、スチレン−ブタジエンゴム、ニトリルゴム、クロロプレンゴム、ブチルゴム、アクリルゴム、エチレン−プロピレンゴム、ヒドリンゴム、ウレタンゴム、シリコーンゴム、フッ素ゴムのような各種ゴム材料や、スチレン系、ポリオレフィン系、ポリ塩化ビニル系、ポリウレタン系、ポリエステル系、ポリアミド系、ポリブタジエン系、トランスポリイソプレン系、フッ素ゴム系、塩素化ポリエチレン系等の各種熱可塑性エラストマが挙げられ、これらのうちの１種または２種以上を混合した材料であってもよい。第１弾性弁体３０を、別々の材料により形成しても、同一の材料により形成してもよい。
【００７７】
＜メスコネクタ２＞
次に、図１及び図２を参照して、メスコネクタ２の詳細について説明する。
【００７８】
［第２ハウジング４０］
第２ハウジング４０は、上述したように、キャップ４２と、このキャップ４２を支持するホルダ４３と、を備えている。
【００７９】
キャップ４２は、中空部４１のうち第２弾性弁体５０を収容する保持空間４１ａを区画する筒部４２ａと、この筒部４２ａの遠位端部に設けられ、ホルダ４３上に支持されるフランジ部４２ｂと、を備えている。より具体的に、本実施形態のキャップ４２は、天面キャップ４４と、底面キャップ４５と、を備えている。天面キャップ４４及び底面キャップ４５は、いずれも筒部とフランジ部とを備えるハット形状であり、キャップ４２は、天面キャップ４４及び底面キャップ４５を重ね合わせ、両者の接触面を超音波溶着等により接合することで形成されている。つまり、キャップ４２の筒部４２ａは、天面キャップ４４及び底面キャップ４５の重ね合わされた筒部同士により構成されている。また、キャップ４２のフランジ部４２ｂは、天面キャップ４４及び底面キャップ４５の重ね合わされたフランジ部同士により構成されている。
【００８０】
第２弾性弁体５０は、天面キャップ４４及び底面キャップ４５により、天面５０ａ側及び底面５０ｂ側から圧縮、挟持されて中空部４１内、より具体的には保持空間４１ａ内、での位置が固定されている。第２ハウジング４０が区画する中空部４１には、第２弾性弁体５０に形成されているスリット５１を通じて、外方から閉鎖式オスコネクタ１の流路管部１１を挿入可能である。
【００８１】
図５は、メスコネクタ２を、キャップ４２の近位端側の端面である天面４８側から見た図である。図５に示すように、キャップ４２の天面４８には、挿入開口４２ｃが形成されている。閉鎖式オスコネクタ１の流路管部１１は、この挿入開口４２ｃを通じて、中空部４１内に挿入される（図７参照）。
【００８２】
閉鎖式オスコネクタ１の流路管部１１を、メスコネクタ２の中空部４１内に挿入して、閉鎖式オスコネクタ１及びメスコネクタ２の接続を完了した状態（以下、「接続完了状態」と記載する。）において、流路管部１１は、挿入開口４２ｃを区画する縁部４２ｃ１により、径方向Ｂの内側に圧縮されない。つまり、接続完了状態において、挿入開口４２ｃの位置にある流路管部１１の部分の外径は、縁部４２ｃ１の径よりも小さい。接続完了状態についての詳細は後述する（図７参照）。
【００８３】
また、図２及び図５に示すように、キャップ４２の筒部４２ａの外面には、雄ねじ部４６が形成されている。そして、雄ねじ部４６のねじ山４６ａは、筒部４２ａの外面における近位端の位置まで螺旋状に延在しており、ねじ山４６ａの近位端部が、ＩＳＯ８０３６９−７に準拠するロック式のメスコネクタとして寸法が規定されている先端フランジ４７を構成している。換言すれば、本実施形態の先端フランジ４７は、雄ねじ部４６のねじ山４６ａの一部として、ねじ山４６ａと一体で形成されている。
【００８４】
ここで言う「ＩＳＯ８０３６９−７に準拠するロック式のメスコネクタとして寸法が規定されている先端フランジ」とは、軸方向Ａの端部の位置で、かつ、径方向Ｂに対向する位置に２つ設けられるフランジであり、２つのフランジ間の径方向Ｂの最大径（最大長さ）が７．７３〜７．８３ｍｍに規定されていると共に、最大径となる一径方向に対して直交する別の一径方向における各フランジの幅が３．４〜３．５ｍｍに規定される。図５に示すように、本実施形態の先端フランジ４７については、径方向Ｂの最大径Ｗ１が７．８３ｍｍ（寸法公差−０．００５〜０ｍｍ）となっている。また、図５に示すように、最大径となる一径方向に対して直交する別の一径方向における各フランジの幅Ｗ２が３．５（寸法公差−０．０１〜０ｍｍ）となっている。
【００８５】
図２に示すように、ホルダ４３は、キャップ４２を支持している。また、ホルダ４３は、キャップ４２が区画する保持空間４１ａと連通する流路４１ｂを区画するオスルアー部４３ａと、このオスルアー部４３ａの径方向Ｂの外側の周囲を取り囲み、内面に雌ねじ部４３ｂ１が形成されている筒部４３ｂと、を備えている。
【００８６】
第２ハウジング４０のホルダ４３、天面キャップ４４及び底面キャップ４５の材料としては、例えば、上述した閉鎖式オスコネクタ１のホルダ部材１２として利用可能な材料と同様の材料を挙げることができる。
【００８７】
本実施形態の第２ハウジング４０は、ホルダ４３、天面キャップ４４及び底面キャップ４５を備える構成であるが、この構成に限られず、例えば、本実施形態のホルダ４３と底面キャップ４５とを単一材料から成形した単一部材としてもよい。また、本実施形態のホルダ４３、天面キャップ４４及び底面キャップ４５のいずれかを複数の部材の組み合わせにより形成してもよい。このように、第２ハウジング４０は、本実施形態で示す構成に限られず、例えば、１部材又は２部材から構成してもよく、４部材以上から構成してもよい。
【００８８】
［第２弾性弁体５０］
図２に示すように、第２弾性弁体５０は、天面５０ａ側から見た場合に略円形の外形を有する、円形扁平なディスク状弁体である。第２弾性弁体５０は、第２ハウジング４０により、天面５０ａ及び底面５０ｂを挟み込むことで挟持され、中空部４１内での位置が固定されている。
【００８９】
また、第２弾性弁体５０は、天面５０ａ側から見た場合に、中央部にスリット５１を有している。スリット５１は、オスコネクタが中空部４１に挿入及び抜去される際に第２弾性弁体５０が弾性変形することにより開閉する。第２弾性弁体５０は、スリット５１が形成されている中央部よりも径方向外側に位置する周縁部の位置で、第２ハウジング４０により、天面５０ａ及び底面５０ｂを挟み込んで挟持されている。
【００９０】
第２弾性弁体５０についても、上述した閉鎖式オスコネクタ１の第１弾性弁体３０と同様、金型成形され、弾性変形可能に形成される。また、第２弾性弁体５０の材料としては、例えば、上述した閉鎖式オスコネクタ１の第１弾性弁体３０として利用可能な材料と同様の材料を挙げることができる。
【００９１】
また、第２弾性弁体５０の硬度は、第２弾性弁体５０が適度な弾性力を確保するような硬度とすることが好ましい。第２弾性弁体５０の硬度は、ＩＳＯ８０３６９−７に準拠するオスルアー部が中空部４１に挿入される際にスリット５１を開放するように弾性変形可能な硬度とする。また、ＩＳＯ８０３６９−７に準拠するオスルアー部がスリット５１を通じて中空部４１内に挿入されている状態で、オスルアー部の外壁に密着し、液密な連結状態を実現可能な硬度とする。更に、ＩＳＯ８０３６９−７に準拠するオスルアー部が中空部４１から抜去される際にスリット５１が閉鎖されるように第２ハウジング４０内で復元可能な硬度とする。このような性能を保持する硬度であれば、第２弾性弁体５０の硬度は特に限定されないが、本実施形態では２０〜６０°（Ａ硬度）の硬度としている。
【００９２】
メスコネクタ２のホルダ４３のオスルアー部４３ａは、ＩＳＯ８０３６９−７に準拠しており、６／１００のテーパー形状を有する。
【００９３】
また、本実施形態ではメスコネクタ２が第２弾性弁体５０を備えるが、第２弾性弁体５０を有さないメスコネクタを用いてもよい。
【００９４】
＜閉鎖式オスコネクタ１とメスコネクタ２との接続動作＞
次に、閉鎖式オスコネクタ１とメスコネクタ２とを接続する際の各部の動作について説明する。図６は、閉鎖式オスコネクタ１及びメスコネクタ２を接続する途中の状態を示す断面図である。また、図７は、図６の状態から閉鎖式オスコネクタ１及びメスコネクタ２の接続を更に進行させ、閉鎖式オスコネクタ１及びメスコネクタ２の接続を完了した状態を示す断面図である。より具体的に、図６は、閉鎖式オスコネクタ１の第１弾性弁体３０がメスコネクタ２の挿入開口４２ｃの縁部４２ｃ１に当接する当接状態であるが、流路管部１１がメスコネクタ２の流路４１ｂに連通していない接続途中の状態を示している。また、図７は、当接状態であって、かつ、閉鎖式オスコネクタ１の流路管部１１が、第１弾性弁体３０及び第２弾性弁体５０を貫通してメスコネクタ２の流路４１ｂと連通し、接続が完了した接続完了状態を示している。図７では、閉鎖式オスコネクタ１とメスコネクタ２とでコネクタ接続体３００が構成されている。
【００９５】
図２に示す非接続状態から閉鎖式オスコネクタ１及びメスコネクタ２を軸方向Ａに近づけ、メスコネクタ２を閉鎖式オスコネクタ１に対して、右回り（図２の白抜き矢印参照）に相対的に回動させると、メスコネクタ２の先端フランジ４７を含む雄ねじ部４６を、閉鎖式オスコネクタ１の雌ねじ部２１ａに螺合させることができる。これにより、閉鎖式オスコネクタ１とメスコネクタ２とをねじ結合させることができる。閉鎖式オスコネクタ１の中心軸線Ｏと、メスコネクタ２の中心軸線Ｏ´と、は略一致した状態となっている。
【００９６】
図６に示すように、メスコネクタ２の先端フランジ４７を含む雄ねじ部４６と、閉鎖式オスコネクタ１の雌ねじ部２１ａとを螺合していくと、保持筒部２３の遠位端開口２３ａから突出する第１弾性弁体３０の突出部３４の先端面３４ａが、第２弾性弁体５０の天面５０ａに当接し当接領域６０を形成する。更に、図６に示すように、突出部３４の先端面３４ａが、挿入開口４２ｃの縁部４２ｃ１に対して周方向Ｃ全域で当接する。これにより、縁部４２ｃ１の位置から液体が外部に漏出することを抑制でき、縁部４２ｃ１の位置でのシール性を確保することができる。
【００９７】
当接領域６０は、第１弾性弁体３０の突出部３４の先端面３４ａの全面を含むように形成されている必要はない。また、当接領域６０は、第２弾性弁体５０の天面５０ａの全面を含むように形成されている必要もない。つまり、先端面３４ａ及び天面５０ａの流路管部１１が通過する部分が少なくとも当接して当接領域を形成していればよい。本実施形態では、第１弾性弁体３０のスリット３２ａの周辺と、第２弾性弁体５０のスリット５１の周辺と、が少なくとも当接して当接領域６０を形成していればよい。
【００９８】
また、図２に示す非接続状態から図６に示す接続途中状態にするまでの間、係止部としての突起１８ａは、環状溝２４ａに嵌合した係止位置の状態のままになっている。つまり、非接続状態（図２参照）から当接状態が実現される接続途中状態（図６参照）となるまで、内筒部材２０は、第１ハウジング１０に対して周方向Ｃに回動せず、軸方向Ａにも移動していない。
【００９９】
本実施形態での当接状態（図６参照）は、内筒部材２０の接続筒部２１の遠位端がメスコネクタ２のキャップ４２のフランジ部４２ｂに当接した状態でもある。換言すれば、内筒部材２０の接続筒部２１の遠位端がメスコネクタ２のキャップ４２のフランジ部４２ｂに当接するまで、雄ねじ部４６と雌ねじ部２１ａとを螺合することを、当接状態が実現されたことを外部から確認できる目印としてもよい。
【０１００】
内筒部材２０の遠位端がメスコネクタ２のキャップ４２のフランジ部４２ｂに当接して当接状態が実現される構成（図６参照）に代えて、保持筒部２３の遠位端がメスコネクタ２のキャップ４２の縁部４２ｃ１を含む天面４８に当接して当接状態が実現される構成としてもよい。
【０１０１】
図６に示す接続途中状態から、メスコネクタ２を閉鎖式オスコネクタ１に対して更に相対的に右回り（図６の白抜き矢印参照）に回転させる。すると、内筒部材２０の遠位端がメスコネクタ２のキャップ４２のフランジ部４２ｂに当接した状態となっているため、内筒部材２０が、メスコネクタ２と一体的に、第１ハウジング１０の外筒部材１３に対して、相対的に右回りに回転しようとする。そのため、係止部としての突起１８ａと環状溝２４ａとの嵌合状態が解除される。換言すると、係止部としての突起１８ａは、閉鎖式オスコネクタ１の第１弾性弁体３０がメスコネクタ２の挿入開口４２ｃの縁部４２ｃ１に当接する当接状態（図６参照）を維持したまま、内筒部材２０を係止して移動を規制する係止位置から内筒部材２０の係止を解除し、内筒部材２０の移動を許容する係止解除位置へと変位する。より詳細には、図２、図６に示すように、突起１８ａの遠位端側の端面は、径方向Ｂの内側に向かうにつれて近位端側に向かうように傾斜している。そのため、この傾斜する端面は、軸方向Ａの近位端側に進行しようとする内筒部材２０により径方向Ｂの外側に押圧される。そうすると、突起１８ａが環状溝２４ａから抜け出るように、変形部１８が径方向Ｂの外側へ弾性変形する。このようにして突起１８ａを係止位置から係止解除位置へと移動させることができる。
【０１０２】
突起１８ａが係止解除位置に変位した後、メスコネクタ２を閉鎖式オスコネクタ１に対して更に相対的に右回りに回転させると、内筒部材２０の外壁に形成されている凸部２１ｂ（図４参照）が、外筒部材１３の内壁に形成されている螺旋状の溝１３ａ１に沿って、遠位端側から近位端側に向かって移動する。これにより、内筒部材２０を、外筒部材１３に対して相対的に、軸方向Ａの近位端側に移動させることができる。より具体的に、内筒部材２０は、係止部としての突起１８ａに係止される第１位置（図２、図６参照）から、ホルダ部材１２に当接する第２位置（図７参照）まで、第１ハウジング１０に対して軸方向Ａにおいて移動する。
【０１０３】
これにより、閉鎖式オスコネクタ１の第１弾性弁体３０がメスコネクタ２の挿入開口４２ｃの縁部４２ｃ１に当接する当接状態を維持したまま、流路管部１１が第１弾性弁体３０を貫通せずに開口１１ａ１が第１弾性弁体３０に閉鎖される状態（図６参照）から、流路管部１１が第１弾性弁体３０を貫通して開口１１ａ１が第１弾性弁体３０から開放される状態へと形態を変化させることができる。より具体的には、図６に示す接続途中状態から、内筒部材２０が外筒部材１３に対して近位端側に移動することにより、当接状態が維持されたまま、流路管部１１が、第１弾性弁体３０及び第２弾性弁体５０を貫通する。その結果、図７に示すように、閉鎖式オスコネクタ１の流路管部１１の流路１１ａが、メスコネクタ２の流路４１ｂと液密に連通する接続完了状態が実現される。
【０１０４】
逆に、図７に示す接続完了状態で、メスコネクタ２を閉鎖式オスコネクタ１に対して相対的に左回り（図７の白抜き矢印の逆方向）に回転させると、内筒部材２０は、凸部２１ｂ（図４参照）が螺旋状の溝１３ａ１に沿って移動することにより、当接状態を維持したまま、メスコネクタ２と一体的に、軸方向Ａにおいて第１ハウジング１０から離間する方向に移動する。これにより、内筒部材２０は、図７に示す接続完了状態から、図６に示す接続途中状態へと変化する。つまり、流路管部１１は、当接領域６０を通じて第２弾性弁体５０から抜去される。また、第１弾性弁体３０が、流路管部１１の流路１１ａの遠位端側の開口１１ａ１を開放する開放形態から、開口１１ａ１を覆う閉鎖形態へと、形態を変化させる。このようにして、図７に示す接続完了状態から図６に示す接続途中状態へと移行する。
【０１０５】
第１弾性弁体３０は、図７に示す接続完了状態では、内筒部材２０の近位端側への移動によって軸方向Ａに圧縮されており、復元力により内筒部材２０を遠位端側に付勢している。そのため、図７に示す接続完了状態から図６に示す接続途中状態に変化させる際は、図６に示す接続途中状態から図７に示す接続完了状態に変化させる場合と比較して、弱い外力を加えることで状態を変化させることができる。そして、内筒部材２０の環状溝２４ａが外筒部材１３の突起１８ａの位置に到達すると、突起１８ａが環状溝２４ａに嵌合して係止位置となる。
【０１０６】
図６に示す接続途中状態から、メスコネクタ２を閉鎖式オスコネクタ１に対して更に相対的に左回り（図６の白抜き矢印の逆方向）に回転させると、内筒部材２０は突起１８ａを介して第１ハウジング１０の外筒部材１３に移動が規制されているため、メスコネクタ２の雄ねじ部４６と、閉鎖式オスコネクタ１の内筒部材２０の雌ねじ部２１ａと、のねじ結合が緩む方向に回動する。その結果、メスコネクタ２が内筒部材２０に対して相対的に軸方向Ａで離間する方向（図６では上方向）に移動する。より詳細には、突起１８ａは、近位端側の端面に、径方向と略平行になる平面を有している。そのため、遠位端側に進行しようとする内筒部材２０によっても径方向Ｂの外側には押し出されず、係止位置に留まり続ける。このとき、メスコネクタ２の第２弾性弁体５０の天面５０ａと閉鎖式オスコネクタ１の第１弾性弁体３０の先端面３４ａとの当接は解除される。すなわち、当接領域６０がなくなる。更に、突出部３４の先端面３４ａと、挿入開口４２ｃの縁部４２ｃ１の周方向Ｃ全域と、の当接も解除される。そして、メスコネクタ２の雄ねじ部４６と閉鎖式オスコネクタ１の内筒部材２０の雌ねじ部２１ａとの螺合が解除され、メスコネクタ２を内筒部材２０に対して相対的に遠位端側に引き抜くことで、図２に示すような非接続状態となる。
【０１０７】
以上のように、閉鎖式オスコネクタ１及びメスコネクタ２によれば、接続時において、突出部３４の先端面３４ａと、挿入開口４２ｃの縁部４２ｃ１の周方向Ｃ全域と、が当接する当接状態を維持したまま、流路管部１１を、メスコネクタ２の中空部４１内へと挿入することができる。更に、閉鎖式オスコネクタ１及びメスコネクタ２によれば、接続解除時においても、当接状態を維持したまま、流路管部１１を、メスコネクタ２の中空部４１から抜去することができる。そのため、閉鎖式オスコネクタ１とメスコネクタ２とを液密に連通させることができる。
【０１０８】
また、本実施形態の閉鎖式オスコネクタ１及びメスコネクタ２によれば、接続時において、メスコネクタ２の第２弾性弁体５０の天面５０ａと閉鎖式オスコネクタ１の第１弾性弁体３０の先端面３４ａとの当接領域６０を通じて、流路管部１１を、メスコネクタ２の中空部４１内へと挿入することができる。更に、本実施形態の閉鎖式オスコネクタ１及びメスコネクタ２によれば、接続解除時においても、当接領域６０を通じて、流路管部１１を、メスコネクタ２の中空部４１から抜去することができる。このように、流路管部１１を、当接領域６０を通じて挿入及び抜去することができる。したがって、閉鎖式オスコネクタ１及びメスコネクタ２を接続完了状態（図７参照）から非接続状態（図２参照）にする際、すなわち、両者の接続を解除する際に、接続解除後に外部に露出する、メスコネクタ２の第２弾性弁体５０の天面５０ａ、及び、閉鎖式オスコネクタ１の第１弾性弁体３０の先端面３４ａに、薬液等の液体の液滴が残ることを抑制することができる。つまり、医療従事者が薬液等の液体に触れてしまう危険性を軽減することができる。
【０１０９】
＜閉鎖式オスコネクタ１の雌ねじ部２１ａとメスコネクタ２の雄ねじ部４６＞
上述したように、突出部３４の先端面３４ａと、挿入開口４２ｃの縁部４２ｃ１の周方向Ｃ全域と、が当接する当接状態は、閉鎖式オスコネクタ１の雌ねじ部２１ａとメスコネクタ２の雄ねじ部４６とのねじ結合が維持されることにより実現されている。以下、ねじ結合が維持され易い構成を有する、雌ねじ部２１ａ及び雄ねじ部４６の詳細について詳細に説明する。
【０１１０】
図８は、図２において雌ねじ部２１ａ及び雄ねじ部４６の部分を拡大した拡大断面図である。また図９は、図７において雌ねじ部２１ａ及び雄ねじ部４６の部分を拡大した拡大断面図である。
【０１１１】
図９に示すように、雌ねじ部２１ａは、近位端側の端部に一体で形成されている先端フランジ４７を含む雄ねじ部４６と螺合し、第１弾性弁体３０をメスコネクタ２の挿入開口４２ｃの縁部４２ｃ１に当接させた当接状態となっている。そして、雌ねじ部２１ａの谷部２９ａは、図９に示す状態で、先端フランジ４７を挟み込んでいる。より具体的に、本実施形態の谷部２９ａは、径方向Ｂにおいて対向する位置に設けられている２つの先端フランジ４７と径方向Ｂの外側から当接している。そのため、谷部２９ａと先端フランジ４７との間では、両者が当接していない構成と比較して、摩擦抵抗が生じる。その結果、谷部２９ａに対して先端フランジ４７が相対的に回動することを抑制し、雌ねじ部２１ａと先端フランジ４７との螺合が緩むことや解除されることを抑制することができる。
【０１１２】
特に、本実施形態の谷部２９ａは、２つの先端フランジ４７を、径方向Ｂの内側、すなわち２つの先端フランジ４７の対向方向、に向かって所定値以上の圧力で圧縮している。そのため、谷部２９ａと先端フランジ４７との間の摩擦抵抗を、両者が互いに押圧することなく単に接触している状態と比較して、より大きくすることができる。つまり、雌ねじ部２１ａと先端フランジ４７との螺合の緩みや解除を、より一層生じ難くすることができる。
【０１１３】
換言すれば、図８に示す本実施形態の谷部２９ａは、先端フランジ４７の回動軌跡により規定される最大回転外径Ｄ１よりも小さい谷径Ｄ２を有する挟込部２９ａ１を備えている。そして、挟込部２９ａ１の少なくとも一部は、図９に示す当接状態において、先端フランジ４７に対して径方向Ｂの外側に位置している。つまり、先端フランジ４７は、図９に示す当接状態において、挟込部２９ａ１により径方向Ｂの内側に向かって圧縮されている。先端フランジ４７の「最大回転外径Ｄ１」とは、図５に示すように、ＩＳＯ８０３６９−７に準拠するロック式のメスコネクタとして寸法が規定されている先端フランジ４７のうち径方向Ｂの最も外側に位置する点Ｑが、メスコネクタ２全体の中心軸線Ｏ´と一致する筒部４２ａの中心軸線の周りを回動することにより形成する軌跡の直径を意味する。すなわち、図５に示す最大径Ｗ１と等しい長さである。
【０１１４】
図９に示すように、本実施形態の先端フランジ４７は、挟込部２９ａ１により径方向Ｂの内側に押圧され、圧縮変形している。
【０１１５】
また、図８及び図９に示すように、本実施形態の谷部２９ａは、挟込部２９ａ１よりも遠位端側に位置し、先端フランジ４７の最大回転外径Ｄ１以上の谷径Ｄ３を有する非挟込部２９ａ２を備えている。そして、谷部２９ａのうち、挟込部２９ａ１よりも遠位端側は、非挟込部２９ａ２のみから構成されている。このような構成とすれば、先端フランジ４７を雌ねじ部２１ａに螺合する際に、先端フランジ４７が、図９に示す当接状態に至る前の螺合途中において谷部２９ａにより圧縮されることを抑制することができ、接続時の操作性を向上させることができる。
【０１１６】
更に、本実施形態において、非挟込部２９ａ２の谷径Ｄ３は、近位端側から遠位端側に向かって漸増している。そのため、先端フランジ４７は、先端フランジ４７と雌ねじ部２１ａとの螺合開始時に、谷部２９ａ内に収まり易い。つまり、螺合開始のきっかけとなる先端フランジ４７と雌ねじ部２１ａの谷部２９ａとの係合が実現し易くなり、接続時の操作性を更に向上させることができる。
【０１１７】
また更に、本実施形態では、挟込部２９ａ１の谷径Ｄ２についても、近位端側から遠位端側に向かって漸増している。このようにすれば、先端フランジ４７を雌ねじ部２１ａに螺合する際に、先端フランジ４７が、図９に示す当接状態に近づくにつれて、谷部２９ａからより強く圧縮される構成となる。そのため、図９に示す当接状態となる前に、先端フランジ４７が過度に不要に圧縮されることが抑制される。その結果、接続時の操作性を更に向上させることができる。
【０１１８】
雌ねじ部２１ａは、隣接するねじ山の間の部分から構成される上述の谷部２９ａに加えて、ねじ山から構成される山部２９ｂを備えている。そして、図８に示すように、雌ねじ部２１ａの山部２９ｂのうち、谷部２９ａの挟込部２９ａ１に隣接する位置でのねじ高さＨ１は、先端フランジ４７の突出高さＨ２よりも小さい。ねじ高さＨ１は、挟込部２９ａ１に軸方向Ａで隣接するねじ山の、その隣接する挟込部２９ａ１の最小外径となる位置に対する径方向Ｂの高さを意味している。また、先端フランジ４７の突出高さＨ２は、先端フランジ４７が形成されている筒部４２ａのうち先端フランジ４７と隣接する位置での周面に対する先端フランジ４７の径方向Ｂの最大高さを意味している。
【０１１９】
上述したように、第１弾性弁体３０は、遠位端開口２３ａから突出する突出部３４を備えている。そして、図８に示すように、本実施形態の突出部３４は、メスコネクタ２の挿入開口４２ｃの径Ｄ４よりも大きい外径Ｄ５を有している。突出部３４の外径Ｄ５とは、突出部３４を先端面３４ａ側から見た場合の、突出部３４の外縁の外径を意味している。このような構成にすることにより、メスコネクタ２との接続時において、突出部３４が、メスコネクタ２の挿入開口４２ｃの縁部４２ｃ１の周方向Ｃ全域と当接し易い。つまり、図９に示す当接状態を容易に実現し易くなる。
【０１２０】
本実施形態では、先端フランジ４７が、筒部４２ａの外壁に設けられている雄ねじ部４６の近位端側の一部として形成されているが、ＩＳＯ８０３６９−７に準拠するロック式のメスコネクタとして寸法が規定されている先端フランジがあればよく、この構成に限られない。したがって、例えば、筒部４２ａの外壁の近位端の位置に先端フランジ４７のみが形成されている構成としてもよい。
【０１２１】
また、本実施形態では、谷部２９ａの挟込部２９ａ１の谷径Ｄ２及び非挟込部２９ａ２の谷径Ｄ３と同様、山部２９ｂの山径も、近位端側から遠位端側に向かって漸増する構成であるが、この構成に限られず、山部の山径が軸方向Ａの位置によらず一定の構成としてもよい。
【０１２２】
本実施形態の雌ねじ部２１ａによれば、上述したように、谷部２９ａが先端フランジ４７を挟み込むため、接続完了状態が維持され易い。その一方で、接続時において、図９の当接状態となる前に、先端フランジ４７が谷部２９ａにより挟み込まれる状態が発生すると、その挟み込みの圧縮力の大きさによっては、当接状態が実現される前に、内筒部材２０の外筒部材１３に対する回動が開始される可能性がある。そして、当接状態が実現されずに、メスコネクタ２の中空部４１へ流路管部１１が挿入されるおそれがある。同様に、当接状態が実現されずに、流路管部１１が中空部４１から抜去されるおそれがある。このような場合には、当接状態が実現されていない状況で、流路管部１１の挿入及び抜去が行われるため、挿入開口４２ｃから液体が外部に漏出し易い。
【０１２３】
そこで、図９に示す当接状態をより確実に実現できる構成とすることが望ましい。図１０は、上述した閉鎖式オスコネクタ１の変形例としての閉鎖式オスコネクタ１´単体の断面図である。図１０に示す閉鎖式オスコネクタ１´の断面は、図２に示す閉鎖式オスコネクタ１の断面と同位置での断面である。図１０に示す閉鎖式オスコネクタ１´においても、上述した閉鎖式オスコネクタ１と同様、第１弾性弁体３０は、第１ハウジング１０に対する内筒部材２０´の軸方向Ａにおける移動に伴って、閉鎖形態と開放形態との間で形態を変化させることができる。そして、内筒部材２０´は、第１ハウジング１０の遠位端、より具体的に図１０に示す例では外筒部材１３の遠位端、から突出可能に設けられている。図１０に示す閉鎖式オスコネクタ１´では、この内筒部材２０´の突出可能長さＬ１が、第１ハウジング１０に対する内筒部材２０´の軸方向Ａにおける移動可能長さＬ２以上となっている。
【０１２４】
つまり、内筒部材２０´は、常に、第１ハウジング１０の遠位端よりも突出する状態となっている。このような構成とすれば、当接状態が実現される前に、内筒部材２０´が第１ハウジング１０に対して軸方向Ａの近位端側へ移動したとしても、この移動は、内筒部材２０´が第１ハウジング１０の遠位端よりも突出した状態で止まる。つまり、内筒部材２０´が第１ハウジング１０に対して軸方向Ａの近位端側に最大限移動した後で、更にメスコネクタ２（図８、図９等参照）を閉鎖式オスコネクタ１´に対して回動させれば、メスコネクタ２の先端フランジ４７を含む雄ねじ部４６（図８、図９等参照）を、閉鎖式オスコネクタ１´の雌ねじ部２１ａ´に螺合させることができる。その結果、メスコネクタ２のフランジ部４２ｂ（図８、図９等参照）が内筒部材２０´の接続筒部２１´の遠位端に突き当たるまで、雄ねじ部４６と雌ねじ部２１ａ´を螺合させることができる。つまり、当接状態が実現されずに内筒部材２０´が第１ハウジング１０に対して回動し始めてしまったとしても、内筒部材２０´の第１ハウジング１０に対する移動が終了した後で、当接状態を実現することができる。
【０１２５】
より具体的に、図１０に示す内筒部材２０´は、第１ハウジング１０の係止部としての突起１８ａに係止される第１位置（図１０参照）から、ホルダ部材１２に当接する第２位置まで、第１ハウジング１０に対して軸方向Ａに移動可能である。図１０に示す例における上述の突出可能長さＬ１は、内筒部材２０´が係止部としての突起１８ａに係止されている状態（図１０参照）での内筒部材２０´の突出長さを意味する。また、内筒部材２０´の第２位置は、内筒部材２０´の外壁に設けられている凸部２１ｂ´（図４、図７の「凸部２１ｂ」と同様である。）の近位端側の面が、ホルダ部材１２の突出部１６の遠位端面に突き当たる位置である。図１０では、内筒部材２０´が第１位置にある状態での、内筒部材２０´の近位端の軸方向Ａの位置を二点鎖線Ｘ１で示している。また、図１０では、内筒部材２０´が第２位置にある状態での、内筒部材２０´の近位端の軸方向Ａの位置を二点鎖線Ｘ２で示している。換言すれば、軸方向Ａにおける二点鎖線Ｘ１と二点鎖線Ｘ２との距離が、上述の移動可能長さＬ２である。
【０１２６】
＜輸液セット１００＞
最後に、上述した医療用コネクタとしての閉鎖式オスコネクタ１を備える輸液セット１００について説明する。図１１は、閉鎖式オスコネクタ１を備える輸液セット１００を、上述したメスコネクタ２を備える別の輸液セット１１０に接続する様子を示す図である。輸液セット１００及び別の輸液セット１１０は、生体に薬液等の液体を投与するために用いられる。図１１に示すように、輸液セット１００は、液体容器２００と接続される接続器具１０２と、この接続器具１０２よりも下流側（遠位端側）に位置する閉鎖式オスコネクタ１と、接続器具１０２と閉鎖式オスコネクタ１とを繋ぐ医療用チューブ１０３と、を備えている。また、医療用チューブ１０３の途中には、その部分を閉塞するクランプ１０４が装着されていてもよい。このクランプ１０４は、医療用チューブ１０３を外側から挟持するように押圧して、医療用チューブ１０３内を圧閉するよう構成されている。
【０１２７】
このような構成の輸液セット１００では、クランプ１０４を取り外した状態で、液体容器２００内の薬液等の液体が接続器具１０２から医療用チューブ１０３を通じて閉鎖式オスコネクタ１に流入する。そして、閉鎖式オスコネクタ１が、例えば、混注ポートとして上述したメスコネクタ２を備える別の輸液セット１１０に、メスコネクタ２を介して接続されている場合には、閉鎖式オスコネクタ１に流入した液体は、閉鎖式オスコネクタ１及びメスコネクタ２内を通過し、別の輸液セット１１０へと流入し、生体まで供給される。
【０１２８】
接続器具１０２は、近位端部に位置し、液体容器２００に接続される第１接続部１０５と、遠位端部に位置し、医療用チューブ１０３に接続される第２接続部１０６と、外壁から側方に向かって突出して設けられ、シリンジが接続される第３接続部１０７と、を備えている。接続器具１０２内には、第１接続部１０５から第２接続部１０６まで連通し、液体容器２００内の液体を医療用チューブ１０３へと輸送可能なメイン流路と、第１接続部１０５と第３接続部１０７との間で連通し、液体容器２００と第３接続部１０７に接続されるシリンジとの間で液体の輸送が可能なサブ流路と、が区画されている。
【０１２９】
したがって、例えば抗癌剤を含む薬液が内部に収容されたシリンジを、接続器具１０２の第３接続部１０７と接続することにより、シリンジ内の薬液を接続器具１０２のサブ流路を介して液体容器２００へと輸送することができる。そして、液体容器２００内に収容された抗癌剤を含む薬液は、接続器具１０２のメイン流路及び医療用チューブ１０３内を通じて、閉鎖式オスコネクタ１まで供給される。
【０１３０】
上述したように、閉鎖式オスコネクタ１の遠位端側にメスコネクタ２を接続し、抗癌剤を含む薬液を別の輸液セット１１０内へ供給することにより、抗癌剤を含む薬液を生体へと投与することができる。そして、薬液投与が完了し、閉鎖式オスコネクタ１とメスコネクタ２との接続を解除する際には、閉鎖式オスコネクタ１の第１弾性弁体３０が閉鎖するため、閉鎖式オスコネクタ１の遠位端から抗癌剤を含む薬液が漏れ出ることが抑制される。
【０１３１】
ここでは閉鎖式オスコネクタ１を備える医療器具として輸液セット１００を例示したが、閉鎖式オスコネクタ１は、輸液セットに限らず、他の医療器具に用いることも可能である。例えば、シリンジ本体の先端部に閉鎖式オスコネクタ１を備えるシリンジとしてもよい。かかる場合には、例えば、上述した接続器具１０２の第３接続部１０７をメスコネクタ２と同様の構成とし、閉鎖式オスコネクタ１を備えるシリンジを、第３接続部１０７に接続するようにすればよい。
【０１３２】
本発明に係る医療用コネクタは、上述した実施形態に示す具体的な構成に限られず、特許請求の範囲に記載の発明の趣旨を逸脱しない限り、種々の変形・変更が可能である。例えば、上述の実施形態の医療用コネクタとしての閉鎖式オスコネクタ１では、外筒部材１３の内壁に螺旋状に延在する溝１３ａ１が形成され、内筒部材２０の外壁に、外筒部材１３に対して内筒部材２０を相対的に周方向Ｃに移動させることにより溝１３ａ１内を移動する凸部２１ｂが形成されているが、この構成に限られない。内筒部材２０の外壁に螺旋状に延在する溝を設け、この溝内を移動する凸部を外筒部材の内壁に形成してもよい。
【産業上の利用可能性】
【０１３３】
本開示は医療用コネクタに関する。
【符号の説明】
【０１３４】
１、１´：閉鎖式オスコネクタ（医療用コネクタ）
２：メスコネクタ
１０：第１ハウジング
１１：流路管部
１１ａ：流路
１１ａ１：遠位端側の開口
１１ａ２：近位端側の開口
１２：ホルダ部材
１３：外筒部材
１３ａ：雄ねじ部
１３ａ１：溝
１４：フランジ部
１５：接続部
１５ａ：中空部
１６：突出部
１７：隙間
１８：変形部
１８ａ：突起（係止部）
２０、２０´：内筒部材
２１、２１´：接続筒部
２１ａ、２１ａ´：雌ねじ部
２１ｂ：凸部
２２：第１環状フランジ部
２３：保持筒部
２３ａ：遠位端開口
２４：細筒部
２４ａ：環状溝
２５：第２環状フランジ部
２６：基端筒部
２７：収容空間
２８：突起
２９ａ：谷部
２９ａ１：挟込部
２９ａ２：非挟込部
２９ｂ：山部
３０：第１弾性弁体
３１：蛇腹筒部
３２：先端部
３２ａ：スリット
３３：フランジ部
３４：突出部
３４ａ：先端面
４０：第２ハウジング
４１：中空部
４１ａ：保持空間
４１ｂ：流路
４２：キャップ
４２ａ：筒部
４２ｂ：フランジ部
４２ｃ：挿入開口
４２ｃ１：縁部
４３：ホルダ
４３ａ：オスルアー部
４３ｂ：筒部
４３ｂ１：雌ねじ部
４４：天面キャップ
４５：底面キャップ
４６：雄ねじ部
４６ａ：ねじ山
４７：先端フランジ
４８：天面
５０：第２弾性弁体
５０ａ：天面
５０ｂ：底面
５１：スリット
６０：当接領域
１００：輸液セット
１０２：接続器具
１０３：医療用チューブ
１０４：クランプ
１０５：第１接続部
１０６：第２接続部
１０７：第３接続部
１１０：輸液セット
２００：液体容器
３００：コネクタ接続体
Ａ：流路管部及び内筒部材の軸方向
Ｂ：流路管部及び内筒部材の径方向
Ｃ：流路管部及び内筒部材の周方向
Ｄ１：先端フランジの回動軌跡により規定される最大回転外径
Ｄ２：挟込部の谷径
Ｄ３：非挟込部の谷径
Ｄ４：メスコネクタの挿入開口の径
Ｄ５：第１弾性弁体の突出部の外径
Ｈ１：ねじ高さ
Ｈ２：突出高さ
Ｌ１：突出可能長さ
Ｌ２：移動可能長さ
Ｏ：内筒部材の中心軸線
Ｏ´：メスコネクタの中心軸線
Ｑ：先端フランジの径方向の最も外側に位置する点
Ｗ１：先端フランジの最大径
Ｗ２：各フランジの幅
Ｘ１：内筒部材が第１位置にある状態での近位端の軸方向Ａの位置
Ｘ２：内筒部材が第２位置にある状態での近位端の軸方向Ａの位置
【図１】
2018174265.tif 000003
【図２】
2018174265.tif 000004
【図３】
2018174265.tif 000005
【図４】
2018174265.tif 000006
【図５】
2018174265.tif 000007
【図６】
2018174265.tif 000008
【図７】
2018174265.tif 000009
【図８】
2018174265.tif 000010
【図９】
2018174265.tif 000011
【図１０】
2018174265.tif 000012
【図１１】
2018174265.tif 000013
【国際調査報告】
2018174265.tif 000014
2018174265.tif 000015
2018174265.tif 000016